(57)【要約】  本発明は、液晶ディスプレイの調整方法、装置、プログラム及び記録媒体に関し、液晶ディスプレイの輝度を向上させることができる。上記方法は、液晶ディスプレイのソース回路の印加電圧を変更して、液晶ディスプレイの異なる印加電圧での透過率を測定するステップと、印加電圧と透過率との間の対応関係によって、液晶ディスプレイの最大透過率に対応する印加電圧を確定するステップと、上記最大透過率に対応する印加電圧に基づいて、ソース回路の動作電圧を確定し、上記ソース回路の印加電圧を上記動作電圧に調整するステップとを含む。本発明は、ソース回路の動作電圧を液晶ディスプレイの最大透過率に対応する電圧に調整することにより、液晶ディスプレイの透過率を高め、液晶ディスプレイの輝度を高めることができる。かくして、液晶ディスプレイの構造を変更しない状況で、液晶ディスプレイの輝度を高めることができる。【選択図】        図１
2017505465.tif 000002
【特許請求の範囲】
【請求項１】
液晶ディスプレイのソース回路の印加電圧を変更して、異なる印加電圧での液晶ディスプレイの透過率を測定するステップと、
印加電圧と透過率との間の対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含むことを特徴とする液晶ディスプレイの調整方法。
【請求項２】
液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップを含むことを特徴とする請求項１に記載の液晶ディスプレイの調整方法。
【請求項３】
液晶ディスプレイのソース回路の印加電圧を変更して、異なる印加電圧での液晶ディスプレイの透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップとを含むことを特徴とする請求項２に記載の液晶ディスプレイの調整方法。
【請求項４】
前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とするステップを含み、
ここで、印加電圧が臨界印加電圧よりも大きいまたは小さい場合、液晶ディスプレイの透過率が減少し始めることを特徴とする請求項１に記載の液晶ディスプレイの調整方法。
【請求項５】
ソース回路の印加電圧が確定された動作電圧に維持する場合、液晶ディスプレイの色温度を所定の色温度値に調整するステップをさらに含むことを特徴とする請求項１に記載の液晶ディスプレイの調整方法。
【請求項６】
ソース回路の印加電圧が確定された動作電圧に維持し、また、色温度が調整された所定の色温度値である場合は、液晶ディスプレイのガンマ値を所定のガンマ値に調整するステップをさらに含むことを特徴とする請求項５に記載の液晶ディスプレイの調整方法。
【請求項７】
液晶ディスプレイのソース回路の印加電圧を変更して、異なる印加電圧での液晶ディスプレイの透過率を測定する変更モジュールと、
印加電圧と透過率との間の対応関係によって、液晶ディスプレイの最大透過率に対応する印加電圧を確定する確定モジュールと、
上記最大透過率に対応する印加電圧をソース回路の動作電圧に確定して、上記ソース回路の印加電圧を上記動作電圧に調整する第１の調整モジュールとを含むことを特徴とする液晶ディスプレイの調整装置。
【請求項８】
上記変更モジュールは、
測定して獲得した透過率が減少し始めるまで、所定の初期電圧から始めて、所定の歩幅で印加電圧を徐々に増加または減少し、増加または減少された印加電圧での液晶ディスプレイの透過率を測定する第１の変更サブモジュールを含むことを特徴とする請求項７に記載の液晶ディスプレイの調整装置。
【請求項９】
上記変更モジュールは、
測定して獲得した透過率が減少し始めたとき、現在の歩幅を減少し、新しい歩幅を獲得する減少サブモジュールと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する第２の変更のサブモジュールとを含むことを特徴とする請求項８に記載の液晶ディスプレイの調整装置。
【請求項１０】
上記確定モジュールは、
印加電圧と透過率との間の対応関係によって臨界印加電圧を確定し、上記臨界印加電圧を上記最大透過率に対応する印加電圧とする確定サブモジュールを含み、
ここで、印加電圧が臨界印加電圧よりも大きいまたは小さい場合、液晶ディスプレイの透過率は減少し始めることを含むことを特徴とする請求項７に記載の液晶ディスプレイの調整装置。
【請求項１１】
ソース回路の印加電圧が確定された動作電圧に維持する場合、液晶ディスプレイの色温度を所定の色温度値に調整する第２の調整モジュールをさらに含むことを特徴とする請求項７に記載の液晶ディスプレイの調整装置。
【請求項１２】
ソース回路の印加電圧が確定された動作電圧に維持し、また、色温度が調整された所定の色温度値である場合は、液晶ディスプレイのガンマ値を所定のガンマ値に調整する第３の調整モジュールをさらに含むことを特徴とする請求項１１に記載の液晶ディスプレイの調整装置。
【請求項１３】
プロセッサと、
プロセッサが実行可能なコマンドを記憶するメモリーとを含み、
ここで、前記プロセッサは、
液晶ディスプレイのソース回路の印加電圧を変更して、液晶ディスプレイの異なる印加電圧下での透過率を測定し、
印加電圧と透過率との間の対応関係によって、液晶ディスプレイの最大透過率に対応する印加電圧を確定し、
上記最大透過率に対応する印加電圧に基づきソース回路の動作電圧を確定し、上記ソース回路の印加電圧を上記動作電圧に調整するように配置されることを特徴とする液晶ディスプレイの調整装置。
【発明の詳細な説明】
【技術分野】
【０００１】
本出願は、出願番号が２０１４１０８３５８７６８であって、出願日が２０１４年１２月２６日である中国特許出願を基礎として優先権を主張し、その中国特許出願の内容全体は、本出願に援用される。
【０００２】
本発明は、液晶ディスプレイの技術分野に関し、より詳細には、液晶ディスプレイの調整方法及び装置に関する。
【背景技術】
【０００３】
関連技術では、液晶ディスプレイの解像度が高くなるにつれて、インチあたりのピクセル数（PPI）が増加して、液晶ディスプレイの透過率の低下を招くことになる。関連技術では、液晶ディスプレイの透過率を向上させる方法は、ブラックマトリックス（ＢＭ）の領域を減少し、増透膜を増加し、ネマティク液晶を使用して画素電極の構造を改変することを含む。
【発明の概要】
【発明が解決しようとする課題】
【０００４】
関連技術に存在する問題点を克服するために、本発明は、液晶ディスプレイの輝度を向上させることができる液晶ディスプレイの調整方法及び装置を提供する。
【課題を解決するための手段】
【０００５】
本発明の第１の実施形態による液晶ディスプレイの調整方法は、
液晶ディスプレイのソース回路の印加電圧を変更して、異なる印加電圧での液晶ディスプレイの透過率を測定するステップと、
印加電圧と透過率との間の対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含む。
【０００６】
また、一実地態様では、液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップとを含む。
【０００７】
また、一実地態様では、液晶ディスプレイのソース回路の印加電圧を変更して、異なる印加電圧での液晶ディスプレイの透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップとを含む。
【０００８】
また、一実地態様では、前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とするステップを含み、
ここで、印加電圧が臨界印加電圧よりも大きいまたは小さい場合、液晶ディスプレイの透過率が減少し始める。
【０００９】
また、一実地態様では、ソース回路の印加電圧が確定された動作電圧に維持する場合、液晶ディスプレイの色温度を所定の色温度値に調整するステップをさらに含む。
【００１０】
また、一実地態様では、ソース回路の印加電圧が確定された動作電圧に維持し、また、色温度が調整された所定の色温度値である場合は、液晶ディスプレイのガンマ値を所定のガンマ値に調整するステップをさらに含む。
【００１１】
本発明の第２の実施形態による液晶ディスプレイの調整装置は、
液晶ディスプレイのソース回路の印加電圧を変更して、異なる印加電圧での液晶ディスプレイの透過率を測定する変更モジュールと、
印加電圧と透過率との間の対応関係によって、液晶ディスプレイの最大透過率に対応する印加電圧を確定する確定モジュールと、
上記最大透過率に対応する印加電圧をソース回路の動作電圧に確定して、上記ソース回路の印加電圧を上記動作電圧に調整する第１の調整モジュールとを含む。
【００１２】
また、一実地態様では、上記変更モジュールは、
測定して獲得した透過率が減少し始めるまで、所定の初期電圧から始めて、所定の歩幅で印加電圧を徐々に増加または減少し、増加または減少された印加電圧での液晶ディスプレイの透過率を測定する第１の変更サブモジュールを含む。
【００１３】
また、一実地態様では、上記変更モジュールは、
測定して獲得した透過率が減少し始めたとき、現在の歩幅を減少し、新しい歩幅を獲得する減少サブモジュールと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する第２の変更のサブモジュールとを含む。
【００１４】
また、一実地態様では、上記確定モジュールは、
印加電圧と透過率との間の対応関係によって臨界印加電圧を確定し、上記臨界印加電圧を上記最大透過率に対応する印加電圧とする確定サブモジュールを含み、
ここで、印加電圧が臨界印加電圧よりも大きいまたは小さい場合、液晶ディスプレイの透過率は減少し始めることを含む。
【００１５】
また、一実地態様では、ソース回路の印加電圧が確定された動作電圧に維持する場合、液晶ディスプレイの色温度を所定の色温度値に調整する第２の調整モジュールをさらに含む。
【００１６】
また、一実地態様では、ソース回路の印加電圧が確定された動作電圧に維持し、また、色温度が調整された所定の色温度値である場合は、液晶ディスプレイのガンマ値を所定のガンマ値に調整する第３の調整モジュールをさらに含む。
【００１７】
本発明の第３の実施形態による液晶ディスプレイの調整装置は、
プロセッサと、
プロセッサが実行可能なコマンドを記憶するメモリーとを含み、
ここで、前記プロセッサは、
液晶ディスプレイのソース回路の印加電圧を変更して、液晶ディスプレイの異なる印加電圧下での透過率を測定し、
印加電圧と透過率との間の対応関係によって、液晶ディスプレイの最大透過率に対応する印加電圧を確定し、
上記最大透過率に対応する印加電圧に基づきソース回路の動作電圧を確定し、上記ソース回路の印加電圧を上記動作電圧に調整するように配置される。
【発明の効果】
【００１８】
本発明の実施形態で提供された技術方案によると、ソース回路の動作電圧を液晶ディスプレイの最大透過率に対応する電圧に調整することにより、液晶ディスプレイの透過率を増加し、また、液晶ディスプレイの輝度を高めることができ、液晶ディスプレイの構造を変更しない状況でも、液晶ディスプレイの輝度を高めることができる作用効果を獲得することができる。
【００１９】
なお、上記の一般的な記述及び後述の詳細な記述は、単に例示的な解釈であるだけで、本発明を限定しない。
【００２０】
ここで、図面は明細書に合併され、明細書の一部を構成して、本発明に合致する実施形態を図示して明細書と一緒に本発明の原理を解釈する。
【図面の簡単な説明】
【００２１】
【図１】一実施形態による液晶ディスプレイの調整方法を示すフローチャートである。
【図２】一実施形態による液晶ディスプレイのソース回路の印加電圧と透過率との関係を示すがグラフである。
【図３】一実施形態による他の液晶ディスプレイの調整方法を示すフローチャートである。
【図４】一実施形態による液晶ディスプレイの調整方法を示すフローチャートである。
【図５】一実施形態による液晶ディスプレイの調整装置を示すブロック図である。
【図６】一実施形態に係る他の一つの液晶ディスプレイの調整装置を示すブロック図である。
【図７】一実施形態に係る他の一つの液晶ディスプレイの調整装置を示すブロック図である。
【図８】一実施形態による液晶ディスプレイの調整装置に適用されるブロック図である。
【発明を実施するための形態】
【００２２】
ここで、一実施形態に対して詳細に説明し、その例示は図面に示す。以下、記述が図面に関連するとき、別の表示がない場合、異なる図面中の同じ数字は同じまたは似ている要素を表示する。以下、一実施形態に記載される実施例は、本発明と一致したすべての実施例を代表することではなく、添付された特許請求の範囲に記載された本発明のいくつかの方面と一致した装置及び方法の例である。
【００２３】
図１は、一実施形態による液晶ディスプレイの調整方法のフローチャートである。図１に示すように、その液晶ディスプレイの調整方法は、例えば、携帯電話、タブレットＰＣなどの液晶ディスプレイを備えた端末を対象にして調整するものであり、下記のようなＳ１０１-Ｓ１０３ステップを含む。
【００２４】
Ｓ１０１ステップ：液晶ディスプレイのソース回路の印加電圧を変更して、異なる印加電圧での液晶ディスプレイの透過率を測定する。
【００２５】
一実施形態では、上記Ｓ１０１ステップは、測定して獲得した透過率が減少し始めるまで、所定の初期電圧から始めて、所定の歩幅で印加電圧を徐々に増加または減少し、増加または減少された印加電圧での液晶ディスプレイの透過率を測定することを含む。
【００２６】
上記Ｓ１０１ステップはＡ１-Ａ２ステップをさらに含む。
【００２７】
Ａ１ステップ：測定して獲得した透過率が減少し始めたとき、現在の歩幅を減少し、新しい歩幅を獲得する。
【００２８】
Ａ２ステップ：測定して獲得した透過率が減少し始めるまで、現在の印加電圧から開始して、新しい歩幅でその前の増加または減少させる操作と反対の印加電圧を減少または増加させる操作を徐々に進めて減少または増加された後、印加電圧での液晶ディスプレイの透過率を測定する。
【００２９】
例えば、ソース回路の印加電圧範囲は４Ｖ-６Ｖであり、所定の初期電圧は４Ｖであり、所定の歩幅は０.３Ｖである。測定して獲得した透過率が減少し始めるまで、４Ｖから開始して０.３Ｖで印加電圧を徐々に増加させ、増加された印加電圧での液晶ディスプレイの透過率を測定し、そして測定して獲得した透過率が減少し始めるまで、上記歩幅を０.１Ｖまで減少させ、現在の印加電圧から開始して、歩幅０.１Ｖで印加電圧を徐々に減少させて、減少された印加電圧での液晶ディスプレイの透過率を測定し、そして測定して獲得した透過率が減少し始めるまで、上記歩幅を０.０５Ｖまで減少させ、現在の印加電圧から開始して、歩幅０.０５Ｖで印加電圧を徐々に増加させ、増加された印加電圧での液晶ディスプレイの透過率を測定する。前記印加電圧を増加または減少するためのステップを歩幅が所定の精度に到達するまで繰り返す。
【００３０】
また、例えば、ソース回路の印加電圧範囲は４Ｖ-６Ｖであり、所定の初期電圧は６Ｖであり、所定の歩幅は０.３Ｖである。 ６Ｖから開始して、歩幅０.３Ｖで印加電圧を徐々に減少させ、測定して獲得した透過率が減少し始める前まで、減少された印加電圧での液晶ディスプレイの透過率を測定し、そして、測定して獲得した透過率が減少し始めるまで、上記歩幅を０.１Ｖまで減少させ、現在の印加電圧から開始して、歩幅０.１Ｖで印加電圧を徐々に増加させ、増加された印加電圧での液晶ディスプレイの透過率を測定し、そして、測定して獲得した透過率が減少し始めるまで、上記歩幅を０.０５Ｖまで減少させ、現在の印加電圧から開始して、歩幅０.０５Ｖで印加電圧を徐々に増加させ、増加された印加電圧での液晶ディスプレイの透過率を測定する。前記印加電圧を増加または減少するためのステップを歩幅が所定の精度に減少されるまで繰り返す。
【００３１】
Ｓ１０２ステップ：印加電圧と透過率との間の対応関係によって、液晶ディスプレイの最大透過率に対応する印加電圧を確定する。
【００３２】
一実施形態では、上記Ｓ１０２ステップは、印加電圧と透過率との間の対応関係によって臨界印加電圧を確定し、臨界印加電圧を最大透過率に対応する印加電圧とすることを含む。
【００３３】
ここで、印加電圧が臨界印加電圧よりも大きいまたは小さい場合、液晶ディスプレイの透過率が減少し始める。
【００３４】
例えば、図２に示すように、臨界印加電圧が５Ｖであり、透過率は臨界印加電圧であるとき最も大きく、印加電圧が臨界印加電圧よりも大きいまたは小さい場合、液晶ディスプレイの透過率は減少し始める。それぞれの液晶ディスプレイの臨界印加電圧は異なるため、それぞれの液晶ディスプレイのソース回路の印加電圧を変更することにより、それぞれの液晶ディスプレイの臨界印加電圧を照会する。
【００３５】
Ｓ１０３ステップ：最大透過率に対応する印加電圧に基づいてソース回路の動作電圧を確定し、ソース回路の印加電圧を動作電圧に調整する。
【００３６】
例えば、最大透過率に対応する印加電圧を中心に、所定の範囲内で、ソース回路の動作電圧を確定し、ソース回路の印加電圧をその動作電圧に調整する。例えば、最大透過率に対応する印加電圧が５.２Ｖであり、最大透過率に対応する印加電圧５.２Ｖを中心に、所定の範囲である４.８Ｖ-５.６Ｖで、ソース回路の動作電圧を５Ｖに確定し、ソース回路の印加電圧を５Ｖに調整する。
【００３７】
本発明の実施形態を示した技術方案によれば、以下のような作用効果を獲得することができる。即ち、ソース回路の動作電圧を液晶ディスプレイの最大透過率に対応する電圧に調整することにより、液晶ディスプレイの透過率を増加し、液晶ディスプレイの輝度を増加する。こうして、液晶ディスプレイの構造を変更しない状況で、液晶ディスプレイの輝度を高めることができる。
【００３８】
図３は、一実施形態に係る他の一つの液晶ディスプレイの調整方法を示すフローチャートである。図３に示すように、その液晶ディスプレイの調整方法は、液晶ディスプレイを備えた端末、例えば、携帯電話、タブレットＰＣを対象にして調整し、下記のようなステップを含む。
【００３９】
Ｓ３０１ステップ：液晶ディスプレイのソース回路の印加電圧を変更して、異なる印加電圧での液晶ディスプレイの透過率を測定する。
【００４０】
Ｓ３０２ステップ：印加電圧と透過率との間の対応関係によって、液晶ディスプレイの最大透過率に対応する印加電圧を確定する。
【００４１】
Ｓ３０３ステップ：最大透過率に対応する印加電圧に基づいてソース回路の動作電圧を確定し、ソース回路の印加電圧を動作電圧に調整する。
【００４２】
上記Ｓ３０１-Ｓ３０３ステップの例示的な説明については、Ｓ１０１-Ｓ１０３ステップの例示的な説明を参照すればよいので、ここで説明を省略する。
【００４３】
Ｓ３０４ステップ：ソース回路の印加電圧が確定された動作電圧に維持する場合、液晶ディスプレイの色温度を所定の色温度値に調整する。
【００４４】
例えば、所定の色温度値が６５００Ｋとしたとき、ソース回路の印加電圧が確定された動作電圧に維持する場合、赤・緑・青のＲＧＢ三つ色の電圧を調整するとともに、液晶ディスプレイの色温度を６５００Ｋに調整されるまで徐々に測定する。
【００４５】
Ｓ３０５ステップ：ソース回路の印加電圧が確定された動作電圧に維持し、また、色温度を所定の色温度値に調整した場合、液晶ディスプレイのガンマ値を所定のガンマ値に調整する。
【００４６】
例えば、所定のガンマ値が２.２であるとすると、ソース回路の印加電圧が確定された動作電圧に維持し、また、色温度が調整された所定の色温度値である場合、ガンマ値が２.２になるように、それぞれのグレースケール電圧を調整する。
【００４７】
本発明の実施形態に係る技術方案によれば、下記のような作用効果を獲得することができる。すなわち、液晶ディスプレイの輝度を確保する前提で、画像表示効果をさらに向上する。
【００４８】
図４は、一実施形態による液晶ディスプレイの調整方法を示すフローチャートである。図４に示すように、その液晶ディスプレイの調整方法は、液晶ディスプレイを備えた端末、例えば、携帯電話、タブレットＰＣを対象にして調整し、下記のようなステップを含む。
【００４９】
Ｓ４０１ステップ：測定して獲得した透過率が減少し始めるまで、所定の初期電圧から始めて、所定の歩幅で印加電圧を徐々に増加して、液晶ディスプレイの増加された後の印加電圧での透過率を測定する。
【００５０】
Ｓ４０２ステップ：測定して獲得した透過率が減少し始めたとき、現在の歩幅を減少し、新しい歩幅を獲得する。
【００５１】
Ｓ４０３ステップ：測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する。
【００５２】
Ｓ４０４ステップ：歩幅が所定の精度に低減されるまで、上記ステップＳ４０２およびステップＳ４０３を繰り返す。
【００５３】
Ｓ４０５ステップ：ソース回路の印加電圧が確定された動作電圧に維持する場合、液晶ディスプレイの色温度を所定の色温度値に調整する。
【００５４】
Ｓ４０６ステップ：ソース回路の印加電圧が確定された動作電圧に維持し、また、色温度を所定の色温度値に調整した場合、液晶ディスプレイのガンマ値を所定のガンマ値に調整する。
【００５５】
本発明の実施形態に係る技術方案によれば、下記のような作用効果を獲得することができる。すなわち、液晶ディスプレイの輝度を確保する前提で、画像表示効果をさらに向上することができる。
【００５６】
図５は、一実施形態による液晶ディスプレイの調整装置のブロック図である。図５に示すように、その液晶ディスプレイの調整装置は、液晶ディスプレイを備えた端末、例えば、携帯電話、タブレットＰＣを対象にして調整し、
液晶ディスプレイのソース回路の印加電圧を変更して、液晶ディスプレイの異なる印加電圧での透過率を測定するように配置された変更モジュール５１と、
印加電圧と透過率との間の対応関係によって、液晶ディスプレイの最大透過率に対応する印加電圧を確定するように配置された確定モジュール５２と、
最大透過率に対応する印加電圧に基づいてソース回路の動作電圧を確定し、ソース回路の印加電圧を動作電圧に調整するように配置された第１の調整モジュール５３とを含む。
【００５７】
一実施形態では、図６に示すように、変更モジュール５１は、
測定して獲得した透過率が減少し始めるまで、所定の初期電圧から始めて、所定の歩幅で印加電圧を徐々に増加または減少し、増加または減少された印加電圧での液晶ディスプレイの透過率を測定するように配置された第１の変更サブモジュール６１を含んでもよい。
【００５８】
一実施形態では、変更モジュール５１は、
測定して獲得した透過率が減少し始めたとき、現在の歩幅を減少し、新しい歩幅を獲得するように配置された減少サブモジュール６２と、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するように配置された第２の変更サブモジュール６３を含んでもよい。
【００５９】
一実施形態では、確定モジュールは、
印加電圧と透過率との間の対応関係によって臨界印加電圧を確定し、臨界印加電圧を最大透過率に対応する印加電圧とするように配置された確定サブモジュールを含んでもよい。
【００６０】
ここで、印加電圧が臨界印加電圧よりも大きいまたは小さい場合、液晶ディスプレイの透過率が減少し始める。
【００６１】
一実施形態では、図７に示すように、液晶ディスプレイの調整装置は、
ソース回路の印加電圧が確定された動作電圧に維持する場合、液晶ディスプレイの色温度を所定の色温度値に調整するように配置された第２の調整モジュール７１をさらに含んでもよい。
【００６２】
一実施形態では、図７に示すように、液晶ディスプレイの調整装置は、
ソース回路の印加電圧が確定された動作電圧に維持し、また、色温度が調整された所定の色温度値である場合、液晶ディスプレイのガンマ値を所定のガンマ値に調整するように配置された第３の調整モジュール７２をさらに含んでもよい。
【００６３】
上記実施形態の液晶ディスプレイの調整装置について、その中の各モジュールが操作を実行する具体的な方法は、その方法に関する実施形態で詳細に記述したので、ここで詳細な説明を省略する。
【００６４】
本発明の実施形態に係る技術方案によれば、下記のような作用効果を獲得することができる。即ち、ソース回路の動作電圧を液晶ディスプレイの最大透過率に対応する電圧に調整することにより、液晶ディスプレイの透過率増加し、さらに液晶ディスプレイの輝度を高めることができる。こうして、液晶ディスプレイの構造を変更しない状況で、液晶ディスプレイの輝度を高めることができる。
【００６５】
図８は、一実施形態に係る液晶ディスプレイの調整装置１２００に適用するブロック図である。例えば、装置１２００は、モバイル端末、コンピュータ、デジタル放送端末、メッセージ送受装置、ゲームコンソール、タブレット装置、医療機器、ヘルス機器、ＰＤＡなどであってもよい。
【００６６】
図８を参照すると、装置１２００は、処理モジュール１２０２、メモリ１２０４、電源モジュール１２０６、マルチメディアモジュール１２０８、オーディオモジュール１２１０、入力/出力（Ｉ/Ｏ）インターフェース １２１２、センサモジュール１２１４、及び通信モジュール１２１６のうちの１つ以上を含むことができる。
【００６７】
処理モジュール１２０２は、通常、装置１２００の全体の操作、例えば、ディスプレイ、モバイル端末の呼び出し、データ通信、カメラ操作や記録操作に関する操作を制御する。処理モジュール１２０２は、前記方法の全部又は一部のステップを完了するように１つ以上のプロセッサ１２１８を含んでコマンドを実行する。また、処理モジュール１２０２は、他のモジュールとの相互作用を便利にするように、１つ以上のモジュールを含むことができる。例えば、処理モジュール１２０２は、マルチメディアモジュール１２０８と処理モジュール１２０２との間の相互作用を便利にするように、マルチメディアモジュールを含んでもよい。
【００６８】
メモリ１２０４は、様々なタイプのデータを保存して、装置１２００での操作をサポートするように配置される。このようなデータは、例えば、装置１２００で操作される任意のアプリケーションプログラム、又は方法のコマンド、連絡先のデータ、電話帳データ、メッセージ、画像、動画などを含む。また、メモリ１２０４は、いずれタイプの揮発性又は非揮発性記憶装置、又はこれらの組み合わせで実現することができる。例えばＳＲＡＭ、ＥＥＰＲＯＭ、ＥＰＲＯＭ、ＰＲＯＭ、ＲＯＭ、磁気メモリ、フレッシュメモリ、ディスク、又はＣＤであってもよい。
【００６９】
電源モジュール１２０６は、装置１２００の様々なモジュールに電力を提供する。電源モジュール１２０６は、電源管理システム、１つ以上の電源や他の装置１２００のための電力の生成、管理、及び分配に係るモジュールを含むことができる。
【００７０】
マルチメディアモジュール１２０８は、前記装置１２００とユーザーの間に出力インタフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサーを含んで、タッチや、スライドや、パネル上の手の動きを感知する。上記タッチセンサは、タッチやスライド動作の境界を測定することができるだけでなく、上記タッチやスライド操作に関連する持続時間や圧力を測定することができる。一部の実施形態では、マルチメディアモジュール１２０８は、１つのフロントカメラ、及び/又はバックカメラを含むことができる。装置１２００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【００７１】
オーディオモジュール１２１０は、オーディオ信号を出力及び/又は入力するように配置される。例えば、オーディオモジュール１２１０は、１つのマイク（ＭＩＣ）を含んでもよい。装置１２００が操作モードに設定される場合は、例えば、呼び出しモード、記録モード、音声識別モードの場合は、マイクは、外部オーディオ信号を受信するように配置される。受信されたオーディオ信号は、メモリ１２０４に格納されるか、通信モジュール１２１６を経て送信することができる。一部の実施例では、オーディオモジュール１２１０は、１つのスピーカーを含み、オーディオ信号を出力する。
【００７２】
Ｉ/Ｏインターフェース１２１２は、処理モジュール１２０２と周辺インターフェースモジュールの間にインターフェースを提供する。上記周辺インターフェースモジュールは、キーボード、クリックホイール、ボタンなどであってもよい。これらのボタンは、ホームページボタン、ボリュームボタン、操作ボタン、ロックボタンを含むが、これに限定しない。
【００７３】
センサモジュール１２１４は、１つ以上のセンサを含み、装置１２００の各方面の状態の評価を提供することができる。例えば、センサモジュール１２１４は、装置１２００のオン/オフ状態、モジュールの相対的な位置を測定することができる。例えば、上記モジュールは、装置１２００のモニターや小さなキーボードであってもよい。センサモジュール１２１４は、装置１２００又は装置１２００の１つモジュールの位置の変化、ユーザーと装置１２００が接触したか、装置１２００方位又は加速/減速、装置１２００の温度変化を測定することができる。センサモジュール１２１４は、接近センサーを含んで、何の物理的な接触がない状況でも近くの物体の存在を測定するように配置される。センサモジュール１２１４は、例えばＣＭＯＳ又はＣＣＤイメージセンサーなどの光センサーが含まれて、画像形成に使用される。このような実施形態では、センサモジュール１２１４は、加速度センサー、ジャイロスコープセンサー、磁気センサー、圧力センサー、又は温度センサをさらに含んでもよい。
【００７４】
通信モジュール１２１６は、装置１２００と他の装置間で有線又は無線方式で便利に通信するように配置される。装置１２００は、通信規格に基づいた、例えばＷｉＦｉ、２Ｇ又は４Ｇ又はこれらの組み合わせなどの無線インターネットにアクセスすることができる。一実施形態では、通信モジュール１２１６は、放送チャンネルを経て外部の放送管理システムからの放送信号又は放送に関連する情報を受信する。一実施形態では、前記通信モジュール１２１６は、ＮＦＣ通信モジュールが含まれて、短距離通信を促進することができる。例えば、ＮＦＣモジュールはＲＦＩＤ技術、ＩｒＤＡ技術、ＵＷＢ技術、ＢＴ技術やその他の技術に基づいて実現することができる。
【００７５】
一実施形態では、装置１２００は、１つ以上のＡＳＩＣ、ＤＳＰ、ＤＳＰＤ、ＰＬＤ、ＦＰＧＡ、コントローラ、マイクロコントローラ、マイクロプロセッサ、又はその他の電子素子で実現され、上記方法を実行する。
【００７６】
一実施形態では、コマンドを含む非一時性コンピュータ読取可能なストレージミディアム、例えば、コマンドを含むメモリ１２０４を提供する。上記コマンドは、装置１２００のプロセッサ１２１８によって実行され、前記方法を完成する。例えば、上記非一時性コンピュータ読取可能な記憶ミディアムは、ＲＯＭ、ＲＡＭ、ＣＤ−ＲＯＭ、テープ、フロッピーディスク、及び光データ記憶装置などであってもよい。
【００７７】
液晶ディスプレイの調整装置は、
プロセッサと、
プロセッサが実行可能なコマンドを記憶するためのメモリを含み、
ここで、プロセッサは、
液晶ディスプレイのソース回路の印加電圧を変更して、異なる印加電圧での液晶ディスプレイの透過率を測定し、
印加電圧と透過率との間の対応関係によって、液晶ディスプレイの最大透過率に対応する印加電圧を確定し、
上記最大透過率に対応する印加電圧に基づいてソース回路の動作電圧を確定し、上記ソース回路の印加電圧を上記動作電圧に調整するように配置される。
【００７８】
上記プロセッサは、測定して獲得した透過率が減少し始めるまで、所定の初期電圧から始めて、所定た歩幅に基づいて印加電圧を徐々に増加または減少し、増加または減少された印加電圧での液晶ディスプレイの透過率を測定するように配置される。
【００７９】
上記プロセッサは、測定して獲得した透過率が減少し始めるとき、現在の歩幅を減少して、新しい歩幅を獲得し、測定して獲得した透過率が減少し始めるまで、現在の印加電圧から開始して、新しい歩幅でその前の増加または減少する操作と反対の印加電圧を減少または増加する操作を徐々に進め、減少または増加された印加電圧での液晶ディスプレイの透過率を測定するように配置される。
【００８０】
上記プロセッサは、印加電圧と透過率との間の対応関係によって臨界印加電圧を確定し、上記臨界印加電圧を上記最大透過率に対応する印加電圧とするように配置される。ここで、印加電圧が臨界印加電圧よりも大きいまたは小さい場合、液晶ディスプレイの透過率が減少し始める。
【００８１】
上記プロセッサは、ソース回路の印加電圧が確定された動作電圧に維持する場合、液晶ディスプレイの色温度を所定の色温度値に調整するように配置される。
【００８２】
上記プロセッサは、ソース回路の印加電圧が確定された動作電圧に維持し、また、色温度が調整された所定の色温度値である場合は、液晶ディスプレイのガンマ値を所定のガンマ値に調整するように配置される。
【００８３】
非一時的コンピュータ読み取り可能な記憶媒体であって、前記記憶媒体中のコマンドをモバイル端末のプロセッサで実行するとき、モバイル端末が液晶ディスプレイの調整方法を実行することができる。当該方法は、
液晶ディスプレイのソース回路の印加電圧を変更して、異なる印加電圧での液晶ディスプレイの透過率を測定するステップと、
印加電圧と透過率の間にこの対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含む。
【００８４】
上記液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップを含む。
【００８５】
上記液晶ディスプレイのソース回路の印加電圧を変更して、液晶ディスプレイの異なる印加電圧での透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップを含む。
【００８６】
前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とすることを含む。
【００８７】
ここで、印加電圧が臨界印加電圧よりも大きいまたは小さいとき、液晶ディスプレイの透過率は減少し始める。
【００８８】
上記方法は、ソース回路の印加電圧が確定された動作電圧に維持する場合、液晶ディスプレイの色温度を所定の色温度値に調整するステップをさらに含んでもよい。
【００８９】
上記方法は、ソース回路の印加電圧が確定された動作電圧に維持し、また、色温度が調整された所定の色温度値である場合、液晶ディスプレイのガンマ値を所定のガンマ値に調整するステップをさらに含んでもよい。
【００９０】
本分野の技術者であれば、本願明細書を考慮し、ここで公開した発明を実践した後、本発明の他の技術案を簡単に考え出すことができる。本願は、本発明に対する任意の変形、用途、または適応性の変化を含むことにその旨がある。このような変形、用途、または適応性の変化は、本発明の一般的な原理を遵守し、本発明が公開されていない本分野の公知知識や慣用的技術手段を含む。明細書及び実施形態は、単に例示的であるだけで、本発明の保護範囲および精神は、添付された請求項で提出する。
【００９１】
なお、本発明は、前記で既に述べて図面に示した構造に限定されず、また、本発明の範囲を逸脱しない前提で、様々な修正や改変を行うことができる。本発明の範囲は、添付された特許請求の範囲のみによって限定される。
【図１】
2017505465.tif 000003
【図２】
2017505465.tif 000004
【図３】
2017505465.tif 000005
【図４】
2017505465.tif 000006
【図５】
2017505465.tif 000007
【図６】
2017505465.tif 000008
【図７】
2017505465.tif 000009
【図８】
2017505465.tif 000010
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
液晶ディスプレイのソース回路の印加電圧を変更して、異なる印加電圧での液晶ディスプレイの透過率を測定するステップと、
印加電圧と透過率との間の対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含むことを特徴とする液晶ディスプレイの調整方法。
【請求項２】
液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップを含むことを特徴とする請求項１に記載の液晶ディスプレイの調整方法。
【請求項３】
液晶ディスプレイのソース回路の印加電圧を変更して、異なる印加電圧での液晶ディスプレイの透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップとを含むことを特徴とする請求項２に記載の液晶ディスプレイの調整方法。
【請求項４】
前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とするステップを含み、
ここで、印加電圧が臨界印加電圧よりも大きいまたは小さい場合、液晶ディスプレイの透過率が減少し始めることを特徴とする請求項１に記載の液晶ディスプレイの調整方法。
【請求項５】
ソース回路の印加電圧が確定された動作電圧に維持する場合、液晶ディスプレイの色温度を所定の色温度値に調整するステップをさらに含むことを特徴とする請求項１に記載の液晶ディスプレイの調整方法。
【請求項６】
ソース回路の印加電圧が確定された動作電圧に維持し、また、色温度が調整された所定の色温度値である場合は、液晶ディスプレイのガンマ値を所定のガンマ値に調整するステップをさらに含むことを特徴とする請求項５に記載の液晶ディスプレイの調整方法。
【請求項７】
液晶ディスプレイのソース回路の印加電圧を変更して、異なる印加電圧での液晶ディスプレイの透過率を測定する変更モジュールと、
印加電圧と透過率との間の対応関係によって、液晶ディスプレイの最大透過率に対応する印加電圧を確定する確定モジュールと、
上記最大透過率に対応する印加電圧をソース回路の動作電圧に確定して、上記ソース回路の印加電圧を上記動作電圧に調整する第１の調整モジュールとを含むことを特徴とする液晶ディスプレイの調整装置。
【請求項８】
上記変更モジュールは、
測定して獲得した透過率が減少し始めるまで、所定の初期電圧から始めて、所定の歩幅で印加電圧を徐々に増加または減少し、増加または減少された印加電圧での液晶ディスプレイの透過率を測定する第１の変更サブモジュールを含むことを特徴とする請求項７に記載の液晶ディスプレイの調整装置。
【請求項９】
上記変更モジュールは、
測定して獲得した透過率が減少し始めたとき、現在の歩幅を減少し、新しい歩幅を獲得する減少サブモジュールと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する第２の変更のサブモジュールとを含むことを特徴とする請求項８に記載の液晶ディスプレイの調整装置。
【請求項１０】
上記確定モジュールは、
印加電圧と透過率との間の対応関係によって臨界印加電圧を確定し、上記臨界印加電圧を上記最大透過率に対応する印加電圧とする確定サブモジュールを含み、
ここで、印加電圧が臨界印加電圧よりも大きいまたは小さい場合、液晶ディスプレイの透過率は減少し始めることを含むことを特徴とする請求項７に記載の液晶ディスプレイの調整装置。
【請求項１１】
ソース回路の印加電圧が確定された動作電圧に維持する場合、液晶ディスプレイの色温度を所定の色温度値に調整する第２の調整モジュールをさらに含むことを特徴とする請求項７に記載の液晶ディスプレイの調整装置。
【請求項１２】
ソース回路の印加電圧が確定された動作電圧に維持し、また、色温度が調整された所定の色温度値である場合は、液晶ディスプレイのガンマ値を所定のガンマ値に調整する第３の調整モジュールをさらに含むことを特徴とする請求項１１に記載の液晶ディスプレイの調整装置。
【請求項１３】
プロセッサと、
プロセッサが実行可能なコマンドを記憶するメモリーとを含み、
ここで、前記プロセッサは、
液晶ディスプレイのソース回路の印加電圧を変更して、液晶ディスプレイの異なる印加電圧下での透過率を測定し、
印加電圧と透過率との間の対応関係によって、液晶ディスプレイの最大透過率に対応する印加電圧を確定し、
上記最大透過率に対応する印加電圧に基づきソース回路の動作電圧を確定し、上記ソース回路の印加電圧を上記動作電圧に調整するように配置されることを特徴とする液晶ディスプレイの調整装置。
【請求項１４】
プロセッサに実行されることにより、請求項１−６のいずれか１項に記載の液晶ディスプレイの調整方法を実現することを特徴とするプログラム。
【請求項１５】
請求項１４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本出願は、出願番号が２０１４１０８３５８７６８であって、出願日が２０１４年１２月２６日である中国特許出願を基礎として優先権を主張し、その中国特許出願の内容全体は、本出願に援用される。
【０００２】
本発明は、液晶ディスプレイの技術分野に関し、より詳細には、液晶ディスプレイの調整方法、装置、プログラム及び記録媒体に関する。
【背景技術】
【０００３】
関連技術では、液晶ディスプレイの解像度が高くなるにつれて、インチあたりのピクセル数（PPI）が増加して、液晶ディスプレイの透過率の低下を招くことになる。関連技術では、液晶ディスプレイの透過率を向上させる方法は、ブラックマトリックス（ＢＭ）の領域を減少し、増透膜を増加し、ネマティク液晶を使用して画素電極の構造を改変することを含む。
【発明の概要】
【発明が解決しようとする課題】
【０００４】
関連技術に存在する問題点を克服するために、本発明は、液晶ディスプレイの輝度を向上させることができる液晶ディスプレイの調整方法、装置、プログラム及び記録媒体を提供する。
【課題を解決するための手段】
【０００５】
本発明の第１の実施形態による液晶ディスプレイの調整方法は、
液晶ディスプレイのソース回路の印加電圧を変更して、異なる印加電圧での液晶ディスプレイの透過率を測定するステップと、
印加電圧と透過率との間の対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含む。
【０００６】
また、一実地態様では、液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップとを含む。
【０００７】
また、一実地態様では、液晶ディスプレイのソース回路の印加電圧を変更して、異なる印加電圧での液晶ディスプレイの透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップとを含む。
【０００８】
また、一実地態様では、前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とするステップを含み、
ここで、印加電圧が臨界印加電圧よりも大きいまたは小さい場合、液晶ディスプレイの透過率が減少し始める。
【０００９】
また、一実地態様では、ソース回路の印加電圧が確定された動作電圧に維持する場合、液晶ディスプレイの色温度を所定の色温度値に調整するステップをさらに含む。
【００１０】
また、一実地態様では、ソース回路の印加電圧が確定された動作電圧に維持し、また、色温度が調整された所定の色温度値である場合は、液晶ディスプレイのガンマ値を所定のガンマ値に調整するステップをさらに含む。
【００１１】
本発明の第２の実施形態による液晶ディスプレイの調整装置は、
液晶ディスプレイのソース回路の印加電圧を変更して、異なる印加電圧での液晶ディスプレイの透過率を測定する変更モジュールと、
印加電圧と透過率との間の対応関係によって、液晶ディスプレイの最大透過率に対応する印加電圧を確定する確定モジュールと、
上記最大透過率に対応する印加電圧をソース回路の動作電圧に確定して、上記ソース回路の印加電圧を上記動作電圧に調整する第１の調整モジュールとを含む。
【００１２】
また、一実地態様では、上記変更モジュールは、
測定して獲得した透過率が減少し始めるまで、所定の初期電圧から始めて、所定の歩幅で印加電圧を徐々に増加または減少し、増加または減少された印加電圧での液晶ディスプレイの透過率を測定する第１の変更サブモジュールを含む。
【００１３】
また、一実地態様では、上記変更モジュールは、
測定して獲得した透過率が減少し始めたとき、現在の歩幅を減少し、新しい歩幅を獲得する減少サブモジュールと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する第２の変更のサブモジュールとを含む。
【００１４】
また、一実地態様では、上記確定モジュールは、
印加電圧と透過率との間の対応関係によって臨界印加電圧を確定し、上記臨界印加電圧を上記最大透過率に対応する印加電圧とする確定サブモジュールを含み、
ここで、印加電圧が臨界印加電圧よりも大きいまたは小さい場合、液晶ディスプレイの透過率は減少し始めることを含む。
【００１５】
また、一実地態様では、ソース回路の印加電圧が確定された動作電圧に維持する場合、液晶ディスプレイの色温度を所定の色温度値に調整する第２の調整モジュールをさらに含む。
【００１６】
また、一実地態様では、ソース回路の印加電圧が確定された動作電圧に維持し、また、色温度が調整された所定の色温度値である場合は、液晶ディスプレイのガンマ値を所定のガンマ値に調整する第３の調整モジュールをさらに含む。
【００１７】
本発明の第３の実施形態による液晶ディスプレイの調整装置は、
プロセッサと、
プロセッサが実行可能なコマンドを記憶するメモリーとを含み、
ここで、前記プロセッサは、
液晶ディスプレイのソース回路の印加電圧を変更して、液晶ディスプレイの異なる印加電圧下での透過率を測定し、
印加電圧と透過率との間の対応関係によって、液晶ディスプレイの最大透過率に対応する印加電圧を確定し、
上記最大透過率に対応する印加電圧に基づきソース回路の動作電圧を確定し、上記ソース回路の印加電圧を上記動作電圧に調整するように配置される。
【００１８】
本発明の第４の実施態様に係るプログラムは、プロセッサに実行されることにより、上記の液晶ディスプレイの調整方法を実現する。
【００１９】
本発明の第５の実施態様に係る記録媒体は、上記プログラムが記録される。
【発明の効果】
【００２０】
本発明の実施形態で提供された技術方案によると、ソース回路の動作電圧を液晶ディスプレイの最大透過率に対応する電圧に調整することにより、液晶ディスプレイの透過率を増加し、また、液晶ディスプレイの輝度を高めることができ、液晶ディスプレイの構造を変更しない状況でも、液晶ディスプレイの輝度を高めることができる作用効果を獲得することができる。
【００２１】
なお、上記の一般的な記述及び後述の詳細な記述は、単に例示的な解釈であるだけで、本発明を限定しない。
【００２２】
ここで、図面は明細書に合併され、明細書の一部を構成して、本発明に合致する実施形態を図示して明細書と一緒に本発明の原理を解釈する。
【図面の簡単な説明】
【００２３】
【図１】一実施形態による液晶ディスプレイの調整方法を示すフローチャートである。
【図２】一実施形態による液晶ディスプレイのソース回路の印加電圧と透過率との関係を示すがグラフである。
【図３】一実施形態による他の液晶ディスプレイの調整方法を示すフローチャートである。
【図４】一実施形態による液晶ディスプレイの調整方法を示すフローチャートである。
【図５】一実施形態による液晶ディスプレイの調整装置を示すブロック図である。
【図６】一実施形態に係る他の一つの液晶ディスプレイの調整装置を示すブロック図である。
【図７】一実施形態に係る他の一つの液晶ディスプレイの調整装置を示すブロック図である。
【図８】一実施形態による液晶ディスプレイの調整装置に適用されるブロック図である。
【発明を実施するための形態】
【００２４】
ここで、一実施形態に対して詳細に説明し、その例示は図面に示す。以下、記述が図面に関連するとき、別の表示がない場合、異なる図面中の同じ数字は同じまたは似ている要素を表示する。以下、一実施形態に記載される実施例は、本発明と一致したすべての実施例を代表することではなく、添付された特許請求の範囲に記載された本発明のいくつかの方面と一致した装置及び方法の例である。
【００２５】
図１は、一実施形態による液晶ディスプレイの調整方法のフローチャートである。図１に示すように、その液晶ディスプレイの調整方法は、例えば、携帯電話、タブレットＰＣなどの液晶ディスプレイを備えた端末を対象にして調整するものであり、下記のようなＳ１０１-Ｓ１０３ステップを含む。
【００２６】
Ｓ１０１ステップ：液晶ディスプレイのソース回路の印加電圧を変更して、異なる印加電圧での液晶ディスプレイの透過率を測定する。
【００２７】
一実施形態では、上記Ｓ１０１ステップは、測定して獲得した透過率が減少し始めるまで、所定の初期電圧から始めて、所定の歩幅で印加電圧を徐々に増加または減少し、増加または減少された印加電圧での液晶ディスプレイの透過率を測定することを含む。
【００２８】
上記Ｓ１０１ステップはＡ１-Ａ２ステップをさらに含む。
【００２９】
Ａ１ステップ：測定して獲得した透過率が減少し始めたとき、現在の歩幅を減少し、新しい歩幅を獲得する。
【００３０】
Ａ２ステップ：測定して獲得した透過率が減少し始めるまで、現在の印加電圧から開始して、新しい歩幅でその前の増加または減少させる操作と反対の印加電圧を減少または増加させる操作を徐々に進めて減少または増加された後、印加電圧での液晶ディスプレイの透過率を測定する。
【００３１】
例えば、ソース回路の印加電圧範囲は４Ｖ-６Ｖであり、所定の初期電圧は４Ｖであり、所定の歩幅は０.３Ｖである。測定して獲得した透過率が減少し始めるまで、４Ｖから開始して０.３Ｖで印加電圧を徐々に増加させ、増加された印加電圧での液晶ディスプレイの透過率を測定し、そして測定して獲得した透過率が減少し始めるまで、上記歩幅を０.１Ｖまで減少させ、現在の印加電圧から開始して、歩幅０.１Ｖで印加電圧を徐々に減少させて、減少された印加電圧での液晶ディスプレイの透過率を測定し、そして測定して獲得した透過率が減少し始めるまで、上記歩幅を０.０５Ｖまで減少させ、現在の印加電圧から開始して、歩幅０.０５Ｖで印加電圧を徐々に増加させ、増加された印加電圧での液晶ディスプレイの透過率を測定する。前記印加電圧を増加または減少するためのステップを歩幅が所定の精度に到達するまで繰り返す。
【００３２】
また、例えば、ソース回路の印加電圧範囲は４Ｖ-６Ｖであり、所定の初期電圧は６Ｖであり、所定の歩幅は０.３Ｖである。 ６Ｖから開始して、歩幅０.３Ｖで印加電圧を徐々に減少させ、測定して獲得した透過率が減少し始める前まで、減少された印加電圧での液晶ディスプレイの透過率を測定し、そして、測定して獲得した透過率が減少し始めるまで、上記歩幅を０.１Ｖまで減少させ、現在の印加電圧から開始して、歩幅０.１Ｖで印加電圧を徐々に増加させ、増加された印加電圧での液晶ディスプレイの透過率を測定し、そして、測定して獲得した透過率が減少し始めるまで、上記歩幅を０.０５Ｖまで減少させ、現在の印加電圧から開始して、歩幅０.０５Ｖで印加電圧を徐々に増加させ、増加された印加電圧での液晶ディスプレイの透過率を測定する。前記印加電圧を増加または減少するためのステップを歩幅が所定の精度に減少されるまで繰り返す。
【００３３】
Ｓ１０２ステップ：印加電圧と透過率との間の対応関係によって、液晶ディスプレイの最大透過率に対応する印加電圧を確定する。
【００３４】
一実施形態では、上記Ｓ１０２ステップは、印加電圧と透過率との間の対応関係によって臨界印加電圧を確定し、臨界印加電圧を最大透過率に対応する印加電圧とすることを含む。
【００３５】
ここで、印加電圧が臨界印加電圧よりも大きいまたは小さい場合、液晶ディスプレイの透過率が減少し始める。
【００３６】
例えば、図２に示すように、臨界印加電圧が５Ｖであり、透過率は臨界印加電圧であるとき最も大きく、印加電圧が臨界印加電圧よりも大きいまたは小さい場合、液晶ディスプレイの透過率は減少し始める。それぞれの液晶ディスプレイの臨界印加電圧は異なるため、それぞれの液晶ディスプレイのソース回路の印加電圧を変更することにより、それぞれの液晶ディスプレイの臨界印加電圧を照会する。
【００３７】
Ｓ１０３ステップ：最大透過率に対応する印加電圧に基づいてソース回路の動作電圧を確定し、ソース回路の印加電圧を動作電圧に調整する。
【００３８】
例えば、最大透過率に対応する印加電圧を中心に、所定の範囲内で、ソース回路の動作電圧を確定し、ソース回路の印加電圧をその動作電圧に調整する。例えば、最大透過率に対応する印加電圧が５.２Ｖであり、最大透過率に対応する印加電圧５.２Ｖを中心に、所定の範囲である４.８Ｖ-５.６Ｖで、ソース回路の動作電圧を５Ｖに確定し、ソース回路の印加電圧を５Ｖに調整する。
【００３９】
本発明の実施形態を示した技術方案によれば、以下のような作用効果を獲得することができる。即ち、ソース回路の動作電圧を液晶ディスプレイの最大透過率に対応する電圧に調整することにより、液晶ディスプレイの透過率を増加し、液晶ディスプレイの輝度を増加する。こうして、液晶ディスプレイの構造を変更しない状況で、液晶ディスプレイの輝度を高めることができる。
【００４０】
図３は、一実施形態に係る他の一つの液晶ディスプレイの調整方法を示すフローチャートである。図３に示すように、その液晶ディスプレイの調整方法は、液晶ディスプレイを備えた端末、例えば、携帯電話、タブレットＰＣを対象にして調整し、下記のようなステップを含む。
【００４１】
Ｓ３０１ステップ：液晶ディスプレイのソース回路の印加電圧を変更して、異なる印加電圧での液晶ディスプレイの透過率を測定する。
【００４２】
Ｓ３０２ステップ：印加電圧と透過率との間の対応関係によって、液晶ディスプレイの最大透過率に対応する印加電圧を確定する。
【００４３】
Ｓ３０３ステップ：最大透過率に対応する印加電圧に基づいてソース回路の動作電圧を確定し、ソース回路の印加電圧を動作電圧に調整する。
【００４４】
上記Ｓ３０１-Ｓ３０３ステップの例示的な説明については、Ｓ１０１-Ｓ１０３ステップの例示的な説明を参照すればよいので、ここで説明を省略する。
【００４５】
Ｓ３０４ステップ：ソース回路の印加電圧が確定された動作電圧に維持する場合、液晶ディスプレイの色温度を所定の色温度値に調整する。
【００４６】
例えば、所定の色温度値が６５００Ｋとしたとき、ソース回路の印加電圧が確定された動作電圧に維持する場合、赤・緑・青のＲＧＢ三つ色の電圧を調整するとともに、液晶ディスプレイの色温度を６５００Ｋに調整されるまで徐々に測定する。
【００４７】
Ｓ３０５ステップ：ソース回路の印加電圧が確定された動作電圧に維持し、また、色温度を所定の色温度値に調整した場合、液晶ディスプレイのガンマ値を所定のガンマ値に調整する。
【００４８】
例えば、所定のガンマ値が２.２であるとすると、ソース回路の印加電圧が確定された動作電圧に維持し、また、色温度が調整された所定の色温度値である場合、ガンマ値が２.２になるように、それぞれのグレースケール電圧を調整する。
【００４９】
本発明の実施形態に係る技術方案によれば、下記のような作用効果を獲得することができる。すなわち、液晶ディスプレイの輝度を確保する前提で、画像表示効果をさらに向上する。
【００５０】
図４は、一実施形態による液晶ディスプレイの調整方法を示すフローチャートである。図４に示すように、その液晶ディスプレイの調整方法は、液晶ディスプレイを備えた端末、例えば、携帯電話、タブレットＰＣを対象にして調整し、下記のようなステップを含む。
【００５１】
Ｓ４０１ステップ：測定して獲得した透過率が減少し始めるまで、所定の初期電圧から始めて、所定の歩幅で印加電圧を徐々に増加して、液晶ディスプレイの増加された後の印加電圧での透過率を測定する。
【００５２】
Ｓ４０２ステップ：測定して獲得した透過率が減少し始めたとき、現在の歩幅を減少し、新しい歩幅を獲得する。
【００５３】
Ｓ４０３ステップ：測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定する。
【００５４】
Ｓ４０４ステップ：歩幅が所定の精度に低減されるまで、上記ステップＳ４０２およびステップＳ４０３を繰り返す。
【００５５】
Ｓ４０５ステップ：ソース回路の印加電圧が確定された動作電圧に維持する場合、液晶ディスプレイの色温度を所定の色温度値に調整する。
【００５６】
Ｓ４０６ステップ：ソース回路の印加電圧が確定された動作電圧に維持し、また、色温度を所定の色温度値に調整した場合、液晶ディスプレイのガンマ値を所定のガンマ値に調整する。
【００５７】
本発明の実施形態に係る技術方案によれば、下記のような作用効果を獲得することができる。すなわち、液晶ディスプレイの輝度を確保する前提で、画像表示効果をさらに向上することができる。
【００５８】
図５は、一実施形態による液晶ディスプレイの調整装置のブロック図である。図５に示すように、その液晶ディスプレイの調整装置は、液晶ディスプレイを備えた端末、例えば、携帯電話、タブレットＰＣを対象にして調整し、
液晶ディスプレイのソース回路の印加電圧を変更して、液晶ディスプレイの異なる印加電圧での透過率を測定するように配置された変更モジュール５１と、
印加電圧と透過率との間の対応関係によって、液晶ディスプレイの最大透過率に対応する印加電圧を確定するように配置された確定モジュール５２と、
最大透過率に対応する印加電圧に基づいてソース回路の動作電圧を確定し、ソース回路の印加電圧を動作電圧に調整するように配置された第１の調整モジュール５３とを含む。
【００５９】
一実施形態では、図６に示すように、変更モジュール５１は、
測定して獲得した透過率が減少し始めるまで、所定の初期電圧から始めて、所定の歩幅で印加電圧を徐々に増加または減少し、増加または減少された印加電圧での液晶ディスプレイの透過率を測定するように配置された第１の変更サブモジュール６１を含んでもよい。
【００６０】
一実施形態では、変更モジュール５１は、
測定して獲得した透過率が減少し始めたとき、現在の歩幅を減少し、新しい歩幅を獲得するように配置された減少サブモジュール６２と、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するように配置された第２の変更サブモジュール６３を含んでもよい。
【００６１】
一実施形態では、確定モジュールは、
印加電圧と透過率との間の対応関係によって臨界印加電圧を確定し、臨界印加電圧を最大透過率に対応する印加電圧とするように配置された確定サブモジュールを含んでもよい。
【００６２】
ここで、印加電圧が臨界印加電圧よりも大きいまたは小さい場合、液晶ディスプレイの透過率が減少し始める。
【００６３】
一実施形態では、図７に示すように、液晶ディスプレイの調整装置は、
ソース回路の印加電圧が確定された動作電圧に維持する場合、液晶ディスプレイの色温度を所定の色温度値に調整するように配置された第２の調整モジュール７１をさらに含んでもよい。
【００６４】
一実施形態では、図７に示すように、液晶ディスプレイの調整装置は、
ソース回路の印加電圧が確定された動作電圧に維持し、また、色温度が調整された所定の色温度値である場合、液晶ディスプレイのガンマ値を所定のガンマ値に調整するように配置された第３の調整モジュール７２をさらに含んでもよい。
【００６５】
上記実施形態の液晶ディスプレイの調整装置について、その中の各モジュールが操作を実行する具体的な方法は、その方法に関する実施形態で詳細に記述したので、ここで詳細な説明を省略する。
【００６６】
本発明の実施形態に係る技術方案によれば、下記のような作用効果を獲得することができる。即ち、ソース回路の動作電圧を液晶ディスプレイの最大透過率に対応する電圧に調整することにより、液晶ディスプレイの透過率増加し、さらに液晶ディスプレイの輝度を高めることができる。こうして、液晶ディスプレイの構造を変更しない状況で、液晶ディスプレイの輝度を高めることができる。
【００６７】
図８は、一実施形態に係る液晶ディスプレイの調整装置１２００に適用するブロック図である。例えば、装置１２００は、モバイル端末、コンピュータ、デジタル放送端末、メッセージ送受装置、ゲームコンソール、タブレット装置、医療機器、ヘルス機器、ＰＤＡなどであってもよい。
【００６８】
図８を参照すると、装置１２００は、処理モジュール１２０２、メモリ１２０４、電源モジュール１２０６、マルチメディアモジュール１２０８、オーディオモジュール１２１０、入力/出力（Ｉ/Ｏ）インターフェース １２１２、センサモジュール１２１４、及び通信モジュール１２１６のうちの１つ以上を含むことができる。
【００６９】
処理モジュール１２０２は、通常、装置１２００の全体の操作、例えば、ディスプレイ、モバイル端末の呼び出し、データ通信、カメラ操作や記録操作に関する操作を制御する。処理モジュール１２０２は、前記方法の全部又は一部のステップを完了するように１つ以上のプロセッサ１２１８を含んでコマンドを実行する。また、処理モジュール１２０２は、他のモジュールとの相互作用を便利にするように、１つ以上のモジュールを含むことができる。例えば、処理モジュール１２０２は、マルチメディアモジュール１２０８と処理モジュール１２０２との間の相互作用を便利にするように、マルチメディアモジュールを含んでもよい。
【００７０】
メモリ１２０４は、様々なタイプのデータを保存して、装置１２００での操作をサポートするように配置される。このようなデータは、例えば、装置１２００で操作される任意のアプリケーションプログラム、又は方法のコマンド、連絡先のデータ、電話帳データ、メッセージ、画像、動画などを含む。また、メモリ１２０４は、いずれタイプの揮発性又は非揮発性記憶装置、又はこれらの組み合わせで実現することができる。例えばＳＲＡＭ、ＥＥＰＲＯＭ、ＥＰＲＯＭ、ＰＲＯＭ、ＲＯＭ、磁気メモリ、フレッシュメモリ、ディスク、又はＣＤであってもよい。
【００７１】
電源モジュール１２０６は、装置１２００の様々なモジュールに電力を提供する。電源モジュール１２０６は、電源管理システム、１つ以上の電源や他の装置１２００のための電力の生成、管理、及び分配に係るモジュールを含むことができる。
【００７２】
マルチメディアモジュール１２０８は、前記装置１２００とユーザーの間に出力インタフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサーを含んで、タッチや、スライドや、パネル上の手の動きを感知する。上記タッチセンサは、タッチやスライド動作の境界を測定することができるだけでなく、上記タッチやスライド操作に関連する持続時間や圧力を測定することができる。一部の実施形態では、マルチメディアモジュール１２０８は、１つのフロントカメラ、及び/又はバックカメラを含むことができる。装置１２００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【００７３】
オーディオモジュール１２１０は、オーディオ信号を出力及び/又は入力するように配置される。例えば、オーディオモジュール１２１０は、１つのマイク（ＭＩＣ）を含んでもよい。装置１２００が操作モードに設定される場合は、例えば、呼び出しモード、記録モード、音声識別モードの場合は、マイクは、外部オーディオ信号を受信するように配置される。受信されたオーディオ信号は、メモリ１２０４に格納されるか、通信モジュール１２１６を経て送信することができる。一部の実施例では、オーディオモジュール１２１０は、１つのスピーカーを含み、オーディオ信号を出力する。
【００７４】
Ｉ/Ｏインターフェース１２１２は、処理モジュール１２０２と周辺インターフェースモジュールの間にインターフェースを提供する。上記周辺インターフェースモジュールは、キーボード、クリックホイール、ボタンなどであってもよい。これらのボタンは、ホームページボタン、ボリュームボタン、操作ボタン、ロックボタンを含むが、これに限定しない。
【００７５】
センサモジュール１２１４は、１つ以上のセンサを含み、装置１２００の各方面の状態の評価を提供することができる。例えば、センサモジュール１２１４は、装置１２００のオン/オフ状態、モジュールの相対的な位置を測定することができる。例えば、上記モジュールは、装置１２００のモニターや小さなキーボードであってもよい。センサモジュール１２１４は、装置１２００又は装置１２００の１つモジュールの位置の変化、ユーザーと装置１２００が接触したか、装置１２００方位又は加速/減速、装置１２００の温度変化を測定することができる。センサモジュール１２１４は、接近センサーを含んで、何の物理的な接触がない状況でも近くの物体の存在を測定するように配置される。センサモジュール１２１４は、例えばＣＭＯＳ又はＣＣＤイメージセンサーなどの光センサーが含まれて、画像形成に使用される。このような実施形態では、センサモジュール１２１４は、加速度センサー、ジャイロスコープセンサー、磁気センサー、圧力センサー、又は温度センサをさらに含んでもよい。
【００７６】
通信モジュール１２１６は、装置１２００と他の装置間で有線又は無線方式で便利に通信するように配置される。装置１２００は、通信規格に基づいた、例えばＷｉＦｉ、２Ｇ又は４Ｇ又はこれらの組み合わせなどの無線インターネットにアクセスすることができる。一実施形態では、通信モジュール１２１６は、放送チャンネルを経て外部の放送管理システムからの放送信号又は放送に関連する情報を受信する。一実施形態では、前記通信モジュール１２１６は、ＮＦＣ通信モジュールが含まれて、短距離通信を促進することができる。例えば、ＮＦＣモジュールはＲＦＩＤ技術、ＩｒＤＡ技術、ＵＷＢ技術、ＢＴ技術やその他の技術に基づいて実現することができる。
【００７７】
一実施形態では、装置１２００は、１つ以上のＡＳＩＣ、ＤＳＰ、ＤＳＰＤ、ＰＬＤ、ＦＰＧＡ、コントローラ、マイクロコントローラ、マイクロプロセッサ、又はその他の電子素子で実現され、上記方法を実行する。
【００７８】
一実施形態では、コマンドを含む非一時性コンピュータ読取可能なストレージミディアム、例えば、コマンドを含むメモリ１２０４を提供する。上記コマンドは、装置１２００のプロセッサ１２１８によって実行され、前記方法を完成する。例えば、上記非一時性コンピュータ読取可能な記憶ミディアムは、ＲＯＭ、ＲＡＭ、ＣＤ−ＲＯＭ、テープ、フロッピーディスク、及び光データ記憶装置などであってもよい。
【００７９】
液晶ディスプレイの調整装置は、
プロセッサと、
プロセッサが実行可能なコマンドを記憶するためのメモリを含み、
ここで、プロセッサは、
液晶ディスプレイのソース回路の印加電圧を変更して、異なる印加電圧での液晶ディスプレイの透過率を測定し、
印加電圧と透過率との間の対応関係によって、液晶ディスプレイの最大透過率に対応する印加電圧を確定し、
上記最大透過率に対応する印加電圧に基づいてソース回路の動作電圧を確定し、上記ソース回路の印加電圧を上記動作電圧に調整するように配置される。
【００８０】
上記プロセッサは、測定して獲得した透過率が減少し始めるまで、所定の初期電圧から始めて、所定た歩幅に基づいて印加電圧を徐々に増加または減少し、増加または減少された印加電圧での液晶ディスプレイの透過率を測定するように配置される。
【００８１】
上記プロセッサは、測定して獲得した透過率が減少し始めるとき、現在の歩幅を減少して、新しい歩幅を獲得し、測定して獲得した透過率が減少し始めるまで、現在の印加電圧から開始して、新しい歩幅でその前の増加または減少する操作と反対の印加電圧を減少または増加する操作を徐々に進め、減少または増加された印加電圧での液晶ディスプレイの透過率を測定するように配置される。
【００８２】
上記プロセッサは、印加電圧と透過率との間の対応関係によって臨界印加電圧を確定し、上記臨界印加電圧を上記最大透過率に対応する印加電圧とするように配置される。ここで、印加電圧が臨界印加電圧よりも大きいまたは小さい場合、液晶ディスプレイの透過率が減少し始める。
【００８３】
上記プロセッサは、ソース回路の印加電圧が確定された動作電圧に維持する場合、液晶ディスプレイの色温度を所定の色温度値に調整するように配置される。
【００８４】
上記プロセッサは、ソース回路の印加電圧が確定された動作電圧に維持し、また、色温度が調整された所定の色温度値である場合は、液晶ディスプレイのガンマ値を所定のガンマ値に調整するように配置される。
【００８５】
非一時的コンピュータ読み取り可能な記憶媒体であって、前記記憶媒体中のコマンドをモバイル端末のプロセッサで実行するとき、モバイル端末が液晶ディスプレイの調整方法を実行することができる。当該方法は、
液晶ディスプレイのソース回路の印加電圧を変更して、異なる印加電圧での液晶ディスプレイの透過率を測定するステップと、
印加電圧と透過率の間にこの対応関係によって、液晶ディスプレイの最大透過率に対応する印加電圧を確定するステップと、
上記最大透過率に対応する印加電圧に基づいてソース回路の動作電圧を確定し、上記ソース回路の印加電圧を上記動作電圧に調整するステップとを含む。
【００８６】
上記液晶ディスプレイのソース回路の印加電圧を変更して、異なる印加電圧での液晶ディスプレイの透過率を測定するステップは、
測定して獲得した透過率が減少し始めるまで、所定の初期電圧から始めて、所定の歩幅で印加電圧を徐々に増加または減少し、増加または減少された印加電圧での液晶ディスプレイの透過率を測定するステップを含む。
【００８７】
上記液晶ディスプレイのソース回路の印加電圧を変更して、液晶ディスプレイの異なる印加電圧での透過率を測定するステップは、
測定して獲得した透過率が減少し始めたとき、現在の歩幅を減少し、新しい歩幅を獲得するステップと、
測定して獲得した透過率が減少し始めるまで、現在の印加電圧から開始して、新しい歩幅でその前の増加または減少する操作と反対の印加電圧を減少または増加する操作を徐々に進めて、減少または増加された印加電圧での液晶ディスプレイの透過率を測定するステップを含む。
【００８８】
前記印加電圧と透過率との間の対応関係によって、液晶ディスプレイの最大透過率に対応する印加電圧を確定するステップは、
印加電圧と透過率との間の対応関係によって臨界印加電圧を確定し、上記臨界印加電圧を上記最大透過率に対応する印加電圧とすることを含む。
【００８９】
ここで、印加電圧が臨界印加電圧よりも大きいまたは小さいとき、液晶ディスプレイの透過率は減少し始める。
【００９０】
上記方法は、ソース回路の印加電圧が確定された動作電圧に維持する場合、液晶ディスプレイの色温度を所定の色温度値に調整するステップをさらに含んでもよい。
【００９１】
上記方法は、ソース回路の印加電圧が確定された動作電圧に維持し、また、色温度が調整された所定の色温度値である場合、液晶ディスプレイのガンマ値を所定のガンマ値に調整するステップをさらに含んでもよい。
【００９２】
本分野の技術者であれば、本願明細書を考慮し、ここで公開した発明を実践した後、本発明の他の技術案を簡単に考え出すことができる。本願は、本発明に対する任意の変形、用途、または適応性の変化を含むことにその旨がある。このような変形、用途、または適応性の変化は、本発明の一般的な原理を遵守し、本発明が公開されていない本分野の公知知識や慣用的技術手段を含む。明細書及び実施形態は、単に例示的であるだけで、本発明の保護範囲および精神は、添付された請求項で提出する。
【００９３】
なお、本発明は、前記で既に述べて図面に示した構造に限定されず、また、本発明の範囲を逸脱しない前提で、様々な修正や改変を行うことができる。本発明の範囲は、添付された特許請求の範囲のみによって限定される。
【国際調査報告】
2017505465.tif 000011
2017505465.tif 000012
2017505465.tif 000013
2017505465.tif 000014